(57)【特許請求の範囲】
【請求項１】
かご室の袖壁の中央部に長方形に穿設されたかご制御盤取付穴と、上記袖壁の背面の上記かご制御盤取付穴の上下にそれぞれ固着された一対の上下用ガイドと、上記袖壁の背面の上記かご制御盤取付穴の左右にそれぞれ固着された一対の左右用ガイドと、取付穴が設けられた折り曲げ辺を有し、該折り曲げ辺を上記かご制御盤取付穴に向けて上記一対の上下用ガイドのそれぞれに上下方向にスライド移動可能に取り付けられ、上記かご制御盤取付穴の上下方向の長さを調整する一対の上下調整板と、取付穴が設けられた折り曲げ辺を有し、該折り曲げ辺を上記かご制御盤取付穴に向けて上記一対の左右用ガイドのそれぞれに左右方向にスライド移動可能に取り付けられ、上記かご制御盤取付穴の左右方向の長さを調整する一対の左右調整板とを備え、
上記上下調整板および上記左右調整板を上下左右にスライド移動させて上記かご制御盤取付穴の大きさをかご制御盤のケースの大きさに合わせ、上記上下調整板および上記左右調整板の各折り曲げ辺に設けられた取付穴を用いて該かご制御盤のケースを固定するようにしたことを特徴とするエレベータのかご制御盤取付構造。
【請求項２】
上下用および左右用ガイドと上下および左右調整板との一方に山形の調整金が取り付けられ、上下用および左右用ガイドと上下および左右調整板との他方にラッチが取り付けられ、該調整金と該ラッチとの係合により、上下用および左右用ガイドおよび上下および左右調整板の位置を固定するようにしたことを特徴とする請求項１記載のエレベータのかご制御盤取付構造。
【発明の詳細な説明】
【０００１】
【発明の属する技術分野】
この発明は、エレベータのかご室の袖壁へのかご操作盤の取付構造に関するものである。
【０００２】
【従来の技術】
図４はエレベータのかご室を示す正面図である。
図４において、かご室１は巾木６がかご床８の出入り口を除いた四方に固定され、壁２および袖壁４が巾木６の上面に固定されて立設され、さらに天井３が壁２および袖壁４の上端に取り付けられて構成されている。また、各袖壁４の出入り口端には、出入り口柱９がかご床８から天井３に至るように立設され、出入り口上板７が出入り口柱９間の上端側に取り付けられて出入り口を構成している。さらに、かごの戸５が出入り口を塞ぐように取り付けられている。このかごの戸５は、図示しない開閉機構により駆動されて、出入り口を開閉が行われる。また、かご操作盤１０が一方の袖壁４に取り付けられている。
【０００３】
つぎに、従来のかご操作盤の取付構造について図５および図６を参照しつつ説明する。なお、図５は従来のエレベータかご室の袖壁を示す背面図、図６は図５のＶＩ−ＶＩ矢視断面図である。
袖壁４は、平板の側辺が背面側にＬ字状に折り曲げられ、その上下端側にそれぞれコ字状の上部補強板４ａおよび下部補強板４ｂが取り付けられている。この袖壁４の中央部には、かご操作盤取付穴１２がかご操作盤１０のケース１０ｂの外径形状とほぼ同等の長方形に穿設されている。そして、一対のＬ字状の取付金具４ｃがかご操作盤取付穴１２の各側縁に沿って袖壁４の背面に固定されている。
かご操作盤１０のケース１０ｂが操作盤取付穴１２に挿入され、ケース１０ｂに設けられた取付穴が取付金具４ｃに設けられた取付穴に合わされて取付ネジやナット等の締着具１１により締着固定される。その後、カバー１０ａがケース１０ｂに取り付けられて、かご操作盤１０が袖壁４に取り付けられる。
【０００４】
【発明が解決しようとする課題】
エレベータの改修工事においては、エレベータの制御や停止数変更などに伴って、既設のかご操作盤から新設のかご制御盤への取り替えが行われる。
従来のかご操作盤取付構造では、以上のようにかご操作盤取付穴１２がケース１０ｂの外径形状とほぼ同等の内径形状に形成され、かつ、取付金具４ｃがかご操作盤取付穴１２の側縁に沿って固着されているので、既設のかご操作盤１０と新設のかご制御盤１０との互換性が少なく、新設のかご制御盤１０のケース１０ｂがかご操作盤取付穴１２に入らない場合には、袖壁４までも取り替えることになり、かご操作盤１０の取り替えの他に、袖壁４に対する材料費および人工費などのムダが発生してしまうという課題があった。
【０００５】
この発明は、上記のような課題を解決するためになされたもので、かご操作盤の大きさに合わせてかご操作盤取付穴の大きさを変更できる構造とし、袖壁を取り替えることなく既設のかご操作盤から新設のかご操作盤に取り替えができるかご操作盤取付構造を得ることを目的とする。
【０００６】
【課題を解決するための手段】
この発明に係るエレベータのかご制御盤取付構造は、かご室の袖壁の中央部に長方形に穿設されたかご制御盤取付穴と、上記袖壁の背面の上記かご制御盤取付穴の上下にそれぞれ固着された一対の上下用ガイドと、上記袖壁の背面の上記かご制御盤取付穴の左右にそれぞれ固着された一対の左右用ガイドと、取付穴が設けられた折り曲げ辺を有し、該折り曲げ辺を上記かご制御盤取付穴に向けて上記一対の上下用ガイドのそれぞれに上下方向にスライド移動可能に取り付けられ、上記かご制御盤取付穴の上下方向の長さを調整する一対の上下調整板と、取付穴が設けられた折り曲げ辺を有し、該折り曲げ辺を上記かご制御盤取付穴に向けて上記一対の左右用ガイドのそれぞれに左右方向にスライド移動可能に取り付けられ、上記かご制御盤取付穴の左右方向の長さを調整する一対の左右調整板とを備え、上記上下調整板および上記左右調整板を上下左右にスライド移動させて上記かご制御盤取付穴の大きさをかご制御盤のケースの大きさに合わせ、上記上下調整板および上記左右調整板の各折り曲げ辺に設けられた取付穴を用いて該かご制御盤のケースを固定するようにしたものである。
【０００７】
また、上下用および左右用ガイドと上下および左右調整板との一方に山形の調整金が取り付けられ、上下用および左右用ガイドと上下および左右調整板との他方にラッチが取り付けられ、該調整金と該ラッチとの係合により、上下用および左右用ガイドおよび上下および左右調整板の位置を固定するようにしたものである。
【０００８】
【発明の実施の形態】
以下、この発明の実施の形態を図について説明する。
実施の形態１．
図１はこの発明の実施の形態１に係るエレベータの袖壁を示す背面図、図２は図１のＡ部を示す拡大図、図３は図２のＩＩＩ−ＩＩＩ矢視断面図であり、図において図５および図６に示した従来技術と同一または相当部分には同一符号を付し、その説明を省略する。
【０００９】
各図において、長方形のかご操作盤取付穴１２が袖壁４の中央部に穿設されている。
一対の上下用ガイド１３は、コ字形の枠状に形成され、その開口側が相対するように袖壁４の背面のかご操作盤取付穴１２の上下に固着されている。各上下用ガイド１３の内周側が袖壁４との間に隙間を形成するように成形されている。また、各上下用ガイド１３の相対する内周辺上には、山形状の調整金１７が固着されている。
また、一対の左右用ガイド１４は、コ字形の枠状に形成され、その開口側が相対するように袖壁４の背面のかご操作盤取付穴１２の左右に固着されている。各左右用ガイド１４の内周側が袖壁４との間に隙間を形成するように成形されている。また、各左右用ガイド１４の相対する内周辺上には、山形状の調整金１７が固着されている。
【００１０】
上下調整板１５は、１辺を折り曲げたＬ字形をなし、その折り曲げ辺１５ａをかご操作盤取付穴１２に向けて各上下用ガイド１３の内周側と袖壁４との隙間に出し入れ自在に差し込まれている。一側に山形状のラッチ１９を有するＬ字状の取付金１８が該ラッチ１９を外側に向けて各上下調整板１５の左右両端に固着されている。そして、上下調整板１５を上下用ガイド１３の内周側と袖壁４との隙間に差し込んだ際に、ラッチ１９の頂部が調整金１７の谷部に入り込み、上下調整板１５の位置が固定される。
また、左右調整板１６は、１辺を折り曲げたＬ字形をなし、その折り曲げ辺１６ａをかご操作盤取付穴１２に向けて各左右用ガイド１４の内周側と袖壁４との隙間に出し入れ自在に差し込まれている。一側に山形状のラッチ１９を有するＬ字状の取付金１８が該ラッチ１９を外側に向けて各左右調整板１６の上下両端に固着されている。そして、左右調整板１６を左右用ガイド１４の内周側と袖壁４との隙間に差し込んだ際に、ラッチ１９の頂部が調整金１７の谷部に入り込み、左右調整板１６の位置が固定される。
【００１１】
このように構成されたかご操作盤取付構造では、上下調整板１５は上下用ガイド１３を案内にして上下方向にスライドでき、左右調整板１６は左右用ガイド１４を案内にして左右方向にスライドできる。この時、ラッチ１９の頂部は、その弾性により、調整金１７の山形状の頂部を乗り越えつつ移動する。そして、ラッチ１９の頂部が調整金１７の谷部に入り込み、上下調整板１５および左右調整板１６の位置が固定される。
【００１２】
ここで、かご制御盤１０の取り替え作業について説明する。
まず、既設のかご制御盤１０を取り外した後、上下調整板１５および左右調整板１６を上下用ガイド１３および左右用ガイド１４を案内にしてスライド移動させ、上下調整板１５および左右調整板１６で形成される開口の大きさを新設のかご制御盤１０のケース１０ｂの大きさに合わせる。この時、ラッチ１９の頂部が調整金１７の谷部に入り込み、上下調整板１５および左右調整板１６の位置が固定され、開口の大きさが保持される。
ついで、新設のかご操作盤１０のケース１０ｂを上下調整板１５および左右調整板１６で形成される開口に挿入し、ケース１０ｂに設けらた取付穴を上下調整板１５および左右調整板１６の折り曲げ辺１５ａ、１６ａに設けられた取付穴１５ｂ、１６ｂに合わせ、取付ネジおよびナット等の締着具１１により締着固定する。その後、カバー１０ａをケース１０ｂに取り付け、新設のかご操作盤１０が袖壁４に取り付けられる。
ここで、かご制御盤１０は上下および左右調整板１５、１６に締着具１１により固定されているが、袖壁４には直接的に固定されていない。しかし、かご制御盤１０の上下方向の移動は左右用ガイド１４により阻止され、左右方向の移動は上下用ガイド１３により阻止されており、かご制御盤１０は袖壁４に固着状態で取り付けられることになる。
【００１３】
このように、この実施の形態１によれば、新設のかご制御盤１０の大きさに合わせて上下および左右調整板１５、１６をスライド移動させてかご制御盤取付穴１２の大きさを調整できるので、袖壁４までも取り替えるような事態を回避でき、かご制御盤１０の取り替えに伴う材料および人工費を低く抑えることができる、つまり少ない時間や労力、および費用で既設のかご制御盤から新設のかご制御盤に変更できる。
また、ラッチ１９と調整金１７との係合により上下および左右調整板１５、１６の位置を固定できるようにしたので、取り替え作業時に、上下および左右調整板１５、１６を支持することなくかご制御盤取付穴の大きさが維持され、取り替え作業性を向上させることができる。
【００１４】
【発明の効果】
この発明は、以上のように構成されているので、以下に記載されるような効果を奏する。
【００１５】
この発明によれば、かご室の袖壁の中央部に長方形に穿設されたかご制御盤取付穴と、上記袖壁の背面の上記かご制御盤取付穴の上下にそれぞれ固着された一対の上下用ガイドと、上記袖壁の背面の上記かご制御盤取付穴の左右にそれぞれ固着された一対の左右用ガイドと、取付穴が設けられた折り曲げ辺を有し、該折り曲げ辺を上記かご制御盤取付穴に向けて上記一対の上下用ガイドのそれぞれに上下方向にスライド移動可能に取り付けられ、上記かご制御盤取付穴の上下方向の長さを調整する一対の上下調整板と、取付穴が設けられた折り曲げ辺を有し、該折り曲げ辺を上記かご制御盤取付穴に向けて上記一対の左右用ガイドのそれぞれに左右方向にスライド移動可能に取り付けられ、上記かご制御盤取付穴の左右方向の長さを調整する一対の左右調整板とを備え、上記上下調整板および上記左右調整板を上下左右にスライド移動させて上記かご制御盤取付穴の大きさをかご制御盤のケースの大きさに合わせ、上記上下調整板および上記左右調整板の各折り曲げ辺に設けられた取付穴を用いて該かご制御盤のケースを固定するようにしたので、少ない時間や労力、および費用で既設のかご制御盤から新設のかご制御盤に変更できるエレベータのかご制御盤取付構造が得られる。
【００１６】
また、上下用および左右用ガイドと上下および左右調整板との一方に山形の調整金が取り付けられ、上下用および左右用ガイドと上下および左右調整板との他方にラッチが取り付けられ、該調整金と該ラッチとの係合により、上下用および左右用ガイドおよび上下および左右調整板の位置を固定するようにしもの、かご制御盤の交換時にガイドや調整板を支持する必要はなく、作業性を向上させることができる。
【図面の簡単な説明】
【図１】この発明の実施の形態１に係るエレベータの袖壁を示す背面図である。
【図２】図１のＡ部を示す拡大図である。
【図３】図２のＩＩＩ−ＩＩＩ矢視断面図である。
【図４】エレベータのかご室を示す正面図である。
【図５】従来のエレベータのかご室の袖壁を示す背面図である。
【図６】図５のＶＩ−ＶＩ矢視断面図である。
【符号の説明】
１  かご室、４  袖壁、１０  かご制御盤、１０ｂ  ケース、１２  かご制御盤取付穴、１３  上下用ガイド、１４  左右用ガイド、１５  上下調整板、１５ａ  折り曲げ辺、１５ｂ  取付穴、１６  左右調整板、１６ａ  折り曲げ辺、１６ｂ  取付穴、１７  調整金、１９  ラッチ。
【図１】
0003577418.tif 000002
【図２】
0003577418.tif 000003
【図３】
0003577418.tif 000004
【図４】
0003577418.tif 000005
【図５】
0003577418.tif 000006
【図６】
0003577418.tif 000007